(57)【要約】【課題】吸収性物品における体液漏れを起こしにくくすること。【解決手段】人体との接触面側に設けられるトップシート３と、バックシート２と、トップシートとバックシートとの間に介装される吸収体４とを備えるナプキン１００において、トップシートの表面に複数のエンボス凹部８がその長軸方向に略一直線上に連なって形成される横エンボス列８ａや縦エンボス列８ｂを複数配列する構成にした。【選択図】      図２
2004298271.tif 000002
【特許請求の範囲】
【請求項１】
人体との接触面側に設けられるトップシートと、人体との接触面と反対面側に設けられるバックシートと、前記トップシートと前記バックシートとの間に介装される吸収体とを備え、前記トップシートの表面に複数の略長方形状或いは略楕円形状のエンボス凹部を有する吸収性物品であって、
前記エンボス凹部の長軸方向に複数の前記エンボス凹部が所定の間隔で、前記吸収性物品の長手方向に略一直線上に連なって形成された縦エンボス列と、
前記エンボス凹部の長軸方向に複数の前記エンボス凹部が所定の間隔で、前記吸収性物品の幅方向に略一直線上に連なって形成された横エンボス列と、を備え、
前記吸収性物品の長手方向の両端部側には、前記横エンボス列が、前記吸収性物品の長手方向に所定の間隔で複数設けられ、
前記吸収性物品の長手方向の略中央側には、前記縦エンボス列が、前記吸収性物品の幅方向に所定の間隔で複数設けられていることを特徴とする吸収性物品。
【請求項２】
前記横エンボス列における前記エンボス凹部は、前記吸収性物品の幅方向の端部側のものほど、長軸方向の長さが短く形成され、
前記縦エンボス列における前記エンボス凹部は、前記吸収性物品の長手方向の端部側のものほど、長軸方向の長さが短く形成されていることを特徴とする請求項１に記載の吸収性物品。
【請求項３】
前記横エンボス列は、前記吸収性物品の長手方向の端部側に向かうにつれて、狭い間隔で配置され、
前記縦エンボス列は、前記吸収性物品の幅方向の端部側に向かうにつれて、狭い間隔で配置されていることを特徴とする請求項１又は２に記載の吸収性物品。
【請求項４】
人体との接触面側に設けられるトップシートと、人体との接触面と反対面側に設けられるバックシートと、前記トップシートと前記バックシートとの間に介装される吸収体とを備え、前記トップシートの表面に複数の略長方形状或いは略楕円形状のエンボス凹部を有する吸収性物品であって、
前記エンボス凹部の長軸方向に複数の前記エンボス凹部が所定の間隔で、前記吸収性物品の長手方向に略一直線上に連なって形成された縦エンボス列が、前記吸収性物品の幅方向に所定の間隔で複数設けられ、
前記エンボス凹部の長軸方向に複数の前記エンボス凹部が所定の間隔で、前記吸収性物品の幅方向に略一直線上に連なって形成された横エンボス列が、前記吸収性物品の長手方向に、前記縦エンボス列のエンボス凹部と重ならないように所定の間隔で複数設けられ、
前記横エンボス列における前記エンボス凹部は、前記吸収性物品の長手方向の端部側のものほど、長軸方向の長さが長く形成され、
前記縦エンボス列における前記エンボス凹部は、前記吸収性物品の長手方向の端部側のものほど、長軸方向の長さが短く形成されていることを特徴とする吸収性物品。
【請求項５】
人体との接触面側に設けられるトップシートと、人体との接触面と反対面側に設けられるバックシートと、前記トップシートと前記バックシートとの間に介装される吸収体とを備え、前記トップシートの面側に、前記トップシートの中心を挟み長手方向に延びる左右一対のエンボス溝と、前記トップシートの中心を挟み幅方向に延びる前後一対のエンボス溝の、少なくとも一方を有する吸収性物品であって、
前記エンボス溝に挟まれる前記トップシートの表面には、複数の略長方形状或いは略楕円形状のエンボス凹部が形成されており、
前記エンボス凹部の長軸方向に複数の前記エンボス凹部が所定の間隔で、前記吸収性物品の長手方向に略一直線上に連なって形成された縦エンボス列が、前記吸収性物品の略中央側に前記吸収性物品の幅方向に所定の間隔で複数設けられ、
前記エンボス凹部の長軸方向に複数の前記エンボス凹部が所定の間隔で、前記吸収性物品の幅方向に略一直線上に連なって形成された横エンボス列が、前記吸収性物品の両端側に前記吸収性物品の長手方向に所定の間隔で複数設けられていることを特徴とする吸収性物品。
【請求項６】
人体との接触面側に設けられるトップシートと、人体との接触面と反対面側に設けられるバックシートと、前記トップシートと前記バックシートとの間に介装される吸収体とを備え、前記トップシートの面側に、前記トップシートの中心を挟み長手方向に延びる左右一対のエンボス溝と、前記トップシートの中心を挟み幅方向に延びる前後一対のエンボス溝の、少なくとも一方を有する吸収性物品であって、
前記エンボス溝に挟まれる前記トップシートの表面には、複数の略長方形状或いは略楕円形状のエンボス凹部が形成されており、
前記エンボス凹部の長軸方向に複数の前記エンボス凹部が所定の間隔で、前記吸収性物品の長手方向に略一直線上に連なって形成された縦エンボス列が、前記吸収性物品の幅方向に所定の間隔で複数設けられ、
前記縦エンボス列における前記エンボス凹部は、前記吸収性物品の長手方向の端部側のものほど、長軸方向の長さが短く形成されていることを特徴とする吸収性物品。
【請求項７】
前記縦エンボス列は、前記吸収性物品の幅方向の端部側に向かうにつれて、狭い間隔で配置されていることを特徴とする請求項６に記載の吸収性物品。
【請求項８】
人体との接触面側に設けられるトップシートと、人体との接触面と反対面側に設けられるバックシートと、前記トップシートと前記バックシートとの間に介装される吸収体とを備え、前記トップシートの面側に、前記トップシートの中心を挟み長手方向に延びる左右一対のエンボス溝と、前記トップシートの中心を挟み幅方向に延びる前後一対のエンボス溝の、少なくとも一方を有する吸収性物品であって、
前記エンボス溝に挟まれる前記トップシートの表面には、複数の略長方形状或いは略楕円形状のエンボス凹部が形成されており、
前記エンボス凹部の長軸方向に複数の前記エンボス凹部が所定の間隔で、前記吸収性物品の幅方向に略一直線上に連なって形成された横エンボス列が、前記吸収性物品の長手方向に所定の間隔で複数設けられ、
前記横エンボス列における前記エンボス凹部は、前記吸収性物品の幅方向の端部側のものほど、長軸方向の長さが短く形成されていることを特徴とする吸収性物品。
【請求項９】
前記横エンボス列は、前記吸収性物品の長手方向の端部側に向かうにつれて、狭い間隔で配置されていることを特徴とする請求項８に記載の吸収性物品。
【請求項１０】
前記エンボス溝より、前記吸収性物品の中心から幅方向の外側における前記トップシートの表面には、複数の略長方形状或いは略楕円形状のエンボス凹部をその長軸方向に所定の間隔で前記吸収性物品の長手方向に略一直線上に連ねて形成した縦エンボス列が、前記吸収性物品の幅方向に所定の間隔で複数設けられていることを特徴とする請求項５〜９の何れか一項に記載の吸収性物品。
【請求項１１】
前記エンボス溝より、前記吸収性物品の中心から長手方向の外側における前記トップシートの表面には、複数の略長方形状或いは略楕円形状のエンボス凹部をその長軸方向に所定の間隔で前記吸収性物品の幅方向に略一直線上に連ねて形成した横エンボス列が、前記吸収性物品の長手方向に所定の間隔で形成されていることを特徴とする請求項５〜１０の何れか一項に記載の吸収性物品。
【請求項１２】
前記エンボス溝より、前記吸収性物品の中心から長手方向の外側における前記トップシートの表面には、複数の略長方形状或いは略楕円形状のエンボス凹部をその長軸方向に所定の間隔で前記吸収性物品の長手方向に略一直線上に連ねて形成した縦エンボス列が、前記吸収性物品の幅方向に所定の間隔で形成されていること特徴とする請求項５〜１１の何れか一項に記載の吸収性物品。
【発明の詳細な説明】
【０００１】
【発明の属する技術分野】
本発明は、経血やおりものなどの体液を吸収するための生理用ナプキン、パンティライナー、失禁パッド等の吸収性物品に係り、詳しくは表面材にエンボス加工が施された吸収性物品に関する。
【０００２】
【従来の技術】
従来より、生理用ナプキン、パンティライナー、失禁パッドなどの吸収性物品におけるトップシートなどの表面材にエンボス加工を施し、体液の吸収速度性能や、肌触り感を向上させたものが知られている（例えば、特許文献１参照。）。
【０００３】
【特許文献１】
特開２００２−３４５８８５号公報
【０００４】
【発明が解決しようとする課題】
しかしながら、上記特許文献１の場合、吸収性物品において、形状や方向性が画一的なエンボス加工が施されているというものであった。
そのため、生理用ナプキンにおいて、体液である経血が集中する排血口対応部のように多くの体液を吸収する中央側の部位と、生理用ナプキンの周囲端部側の部位とにおいて表面材のエンボスが形状や方向性において画一的であることにより、それぞれの部位における体液の吸収に差が生じやすく、吸収性物品全体としての体液吸収バランスが悪くなり、体液漏れをおこしてしまう場合があった。
【０００５】
本発明の課題は、体液漏れを起こしにくいエンボス構造を有する吸収性物品を提供することである。
【０００６】
【課題を解決するための手段】
以上の課題を解決するため、請求項１記載の発明は、
人体との接触面側に設けられるトップシート（３）と、人体との接触面と反対面側に設けられるバックシート（２）と、前記トップシートと前記バックシートとの間に介装される吸収体（４）とを備え、前記トップシートの表面に複数の略長方形状或いは略楕円形状のエンボス凹部（８）を有する吸収性物品（例えば、ナプキン１００等）であって、
前記エンボス凹部の長軸方向に複数の前記エンボス凹部が所定の間隔で、前記吸収性物品の長手方向に略一直線上に連なって形成された縦エンボス列（８ｂ）と、
前記エンボス凹部の長軸方向に複数の前記エンボス凹部が所定の間隔で、前記吸収性物品の幅方向に略一直線上に連なって形成された横エンボス列（８ａ）と、を備え、
前記吸収性物品の長手方向の両端部側には、前記横エンボス列が、前記吸収性物品の長手方向に所定の間隔で複数設けられ、
前記吸収性物品の長手方向の略中央側には、前記縦エンボス列が、前記吸収性物品の幅方向に所定の間隔で複数設けられていることを特徴とする。
【０００７】
請求項１記載の発明によれば、吸収性物品におけるトップシートの表面において、吸収性物品の長手方向の両端部側には、略長方形状或いは略楕円形状の複数のエンボス凹部が長軸方向に略一直線上に連なって形成された横エンボス列が、吸収性物品の長手方向に所定の間隔で複数設けられており、吸収性物品の長手方向の略中央側には、略長方形状或いは略楕円形状の複数のエンボス凹部が長軸方向に略一直線上に連なって形成された縦エンボス列が、吸収性物品の幅方向に所定の間隔で複数設けられている。
【０００８】
ここで、体液等の水様成分は、トップシートの表面に形成された略長方形状或いは略楕円形状のエンボス凹部の長軸方向の向きや長さ、また、そのエンボス凹部が略一直線上に連なって形成されたエンボス列（横エンボス列、縦エンボス列）等のエンボス構造に従い、その拡散方向などが調整、コントロールされる。
例えば、エンボス凹部は、その長軸方向に沿って体液等の水様成分を拡散しやすく、その長さが長いほど拡散しやすい。また、エンボス凹部は、その長軸方向に交わる方向に向かう体液等の水様成分の拡散を妨げやすい。
またエンボス列は、略一直線上に連なった方向に体液等の水様成分を拡散しやすく、略一直線上に連なった方向に交わる方向に向かう体液等の水様成分の拡散を妨げやすい。
また、エンボス列の間隔が広いほど、そのエンボス列間を体液は拡散しやすく、エンボス列間が狭いほど、そのエンボス列間を体液は拡散しにくい。
【０００９】
よって、吸収性物品におけるトップシートの表面の略中央部に排出された体液を、トップシートに形成された縦エンボス列が吸収性物品の長手方向に拡散させるとともに、吸収性物品の長手方向の両端部側においては、トップシートに形成された横エンボス列がその拡散を妨げる。
従って、吸収性物品において、トップシートの表面の略中央部に排出された体液は、吸収性物品の幅方向より長手方向に拡散しやすく、その長手方向の端部側ではその拡散が防がれるので、吸収性物品の幅方向の端部及び長手方向の端部から体液が漏れることを防ぎつつ拡散させ、好適に吸収体に体液を満遍なく吸収させることができる。
このように、トップシートの表面に形成された複数のエンボス凹部が連なった横エンボス列や縦エンボス列により、吸収性物品における体液漏れを起こしにくくすることができる。
【００１０】
請求項２記載の発明は、請求項１に記載の吸収性物品において、
前記横エンボス列における前記エンボス凹部は、前記吸収性物品の幅方向の端部側のものほど、長軸方向の長さが短く形成され、
前記縦エンボス列における前記エンボス凹部は、前記吸収性物品の長手方向の端部側のものほど、長軸方向の長さが短く形成されていることを特徴とする。
【００１１】
請求項２記載の発明によれば、請求項１に記載の発明と同様の作用を奏するとともに、横エンボス列におけるエンボス凹部は吸収性物品の幅方向の端部側のものほど短い形状を有し、縦エンボス列におけるエンボス凹部は吸収性物品の長手方向の端部側のものほど短い形状を有しているので、吸収性物品において、トップシートの表面の略中央部に排出された体液は、より吸収性物品の長手方向に拡散しやすく、吸収性物品の幅方向へは拡散しにくい。
よって、吸収性物品の幅方向の端部及び長手方向の端部から体液が漏れることを防ぎつつ拡散させ、好適に吸収体に体液を満遍なく吸収させることができ、吸収性物品における体液漏れを起こしにくくすることができる。
【００１２】
請求項３記載の発明は、請求項１又は２に記載の吸収性物品において、
前記横エンボス列は、前記吸収性物品の長手方向の端部側に向かうにつれて、狭い間隔で配置され、
前記縦エンボス列は、前記吸収性物品の幅方向の端部側に向かうにつれて、狭い間隔で配置されていることを特徴とする。
【００１３】
請求項３記載の発明によれば、請求項１又は２に記載の発明と同様の作用を奏するとともに、横エンボス列は吸収性物品の長手方向の端部側に向かうにつれて狭い間隔で配置されており、縦エンボス列は吸収性物品の幅方向の端部側に向かうにつれて狭い間隔で配置されているので、吸収性物品の長手方向端部側へ体液は拡散しにくく、また幅方向端部側へも体液は拡散しにくい。
よって、吸収性物品の幅方向の端部及び長手方向の端部から体液が漏れることを防ぐとともに、好適に吸収体に体液を吸収させることができ、吸収性物品における体液漏れを起こしにくくすることができる。
【００１４】
請求項４記載の発明は、
人体との接触面側に設けられるトップシート（３）と、人体との接触面と反対面側に設けられるバックシート（２）と、前記トップシートと前記バックシートとの間に介装される吸収体（４）とを備え、前記トップシートの表面に複数の略長方形状或いは略楕円形状のエンボス凹部（８）を有する吸収性物品（例えば、ナプキン１１０等）であって、
前記エンボス凹部の長軸方向に複数の前記エンボス凹部が所定の間隔で、前記吸収性物品の長手方向に略一直線上に連なって形成された縦エンボス列（８ｂ）が、前記吸収性物品の幅方向に所定の間隔で複数設けられ、
前記エンボス凹部の長軸方向に複数の前記エンボス凹部が所定の間隔で、前記吸収性物品の幅方向に略一直線上に連なって形成された横エンボス列（８ａ）が、前記吸収性物品の長手方向に、前記縦エンボス列のエンボス凹部と重ならないように所定の間隔で複数設けられ、
前記横エンボス列における前記エンボス凹部は、前記吸収性物品の長手方向の端部側のものほど、長軸方向の長さが長く形成され、
前記縦エンボス列における前記エンボス凹部は、前記吸収性物品の長手方向の端部側のものほど、長軸方向の長さが短く形成されていることを特徴とする。
【００１５】
請求項４記載の発明によれば、吸収性物品におけるトップシートの表面において、略長方形状或いは略楕円形状の複数のエンボス凹部が長軸方向に略一直線上に連なって形成された横エンボス列が、吸収性物品の長手方向に所定の間隔で複数設けられており、略長方形状或いは略楕円形状の複数のエンボス凹部が長軸方向に略一直線上に連なって形成された縦エンボス列が、吸収性物品の幅方向に所定の間隔で複数設けられている。そして、横エンボス列におけるエンボス凹部は、吸収性物品の長手方向の端部側のものほど長い形状を有し、縦エンボス列におけるエンボス凹部は、吸収性物品の長手方向の端部側のものほど短い形状を有している。
よって、吸収性物品において、トップシートの表面の略中央部に排出された体液は、より吸収性物品の長手方向に拡散しやすく、吸収性物品の幅方向へは拡散しにくい。また、吸収性物品の長手方向端部側では、体液を幅方向へ拡散させる。
従って、吸収性物品の幅方向の端部及び長手方向の端部から体液が漏れることを防ぎつつ拡散させ、好適に吸収体に体液を満遍なく吸収させることができ、吸収性物品における体液漏れを起こしにくくすることができる。
【００１６】
請求項５記載の発明は、
人体との接触面側に設けられるトップシート（３）と、人体との接触面と反対面側に設けられるバックシート（２）と、前記トップシートと前記バックシートとの間に介装される吸収体（４）とを備え、前記トップシートの面側に、前記トップシートの中心を挟み長手方向に延びる左右一対のエンボス溝（８８ｃ、８８ｃ）と、前記トップシートの中心を挟み幅方向に延びる前後一対のエンボス溝（８８ａ、８８ｂ）の、少なくとも一方を有する吸収性物品（例えば、ナプキン２００等）であって、
前記エンボス溝に挟まれる前記トップシートの表面には、複数の略長方形状或いは略楕円形状のエンボス凹部（８）が形成されており、
前記エンボス凹部の長軸方向に複数の前記エンボス凹部が所定の間隔で、前記吸収性物品の長手方向に略一直線上に連なって形成された縦エンボス列（８ｂ）が、前記吸収性物品の略中央側に前記吸収性物品の幅方向に所定の間隔で複数設けられ、
前記エンボス凹部の長軸方向に複数の前記エンボス凹部が所定の間隔で、前記吸収性物品の幅方向に略一直線上に連なって形成された横エンボス列（８ａ）が、前記吸収性物品の両端側に前記吸収性物品の長手方向に所定の間隔で複数設けられていることを特徴とする。
【００１７】
請求項５記載の発明によれば、吸収性物品には、トップシートの面側に、トップシートの中心を挟む左右一対のエンボス溝と、トップシートの中心を挟む前後一対のエンボス溝の、少なくとも一方が施されている。このエンボス溝に挟まれる吸収性物品中心側であるトップシートの表面において、吸収性物品の幅方向の両端部側には、略長方形状或いは略楕円形状の複数のエンボス凹部が長軸方向に略一直線上に連なって形成された横エンボス列が、吸収性物品の長手方向に所定の間隔で複数設けられており、吸収性物品の幅方向の略中央側には、略長方形状或いは略楕円形状の複数のエンボス凹部が長軸方向に略一直線上に連なって形成された縦エンボス列が、吸収性物品の幅方向に所定の間隔で複数設けられている。
よって、吸収性物品のトップシートにおけるエンボス溝に挟まれた内側表面に排出された体液を、トップシートに形成された縦エンボス列により吸収性物品の長手方向に拡散させるとともに、トップシートに形成された横エンボス列により吸収性物品の幅方向へ拡散させる。
このように、吸収性物品において、トップシートの表面に排出された体液は、エンボス溝に挟まれた内側で拡散されるので、エンボス溝に挟まれた内側の吸収体に体液を吸収させることができる。
従って、トップシートの表面に形成されたエンボス溝と複数のエンボス凹部により形成された横エンボス列や縦エンボス列とにより、吸収性物品における体液漏れを起こしにくくすることができる。
【００１８】
請求項６記載の発明は、
人体との接触面側に設けられるトップシート（３）と、人体との接触面と反対面側に設けられるバックシート（２）と、前記トップシートと前記バックシートとの間に介装される吸収体（４）とを備え、前記トップシートの面側に、前記トップシートの中心を挟み長手方向に延びる左右一対のエンボス溝（８８ｃ、８８ｃ）と、前記トップシートの中心を挟み幅方向に延びる前後一対のエンボス溝（８８ａ、８８ｂ）との少なくとも一方を有する吸収性物品（例えば、ナプキン２０１等）であって、
前記エンボス溝に挟まれる前記トップシートの表面には、複数の略長方形状或いは略楕円形状のエンボス凹部（８）が形成されており、
前記エンボス凹部の長軸方向に複数の前記エンボス凹部が所定の間隔で、前記吸収性物品の長手方向に略一直線上に連なって形成された縦エンボス列（８ｂ）が、前記吸収性物品の幅方向に所定の間隔で複数設けられ、
前記縦エンボス列における前記エンボス凹部は、前記吸収性物品の長手方向の端部側のものほど、長軸方向の長さが短く形成されていることを特徴とする。
【００１９】
請求項６記載の発明によれば、吸収性物品には、トップシートの面側に、トップシートの中心を挟む左右一対のエンボス溝と、トップシートの中心を挟む前後一対のエンボス溝の、少なくとも一方が施されている。このエンボス溝に挟まれる吸収性物品中心側であるトップシートの表面には、略長方形状或いは略楕円形状の複数のエンボス凹部が長軸方向に略一直線上に連なって形成された縦エンボス列が、吸収性物品の幅方向に所定の間隔で複数設けられている。そして、その縦エンボス列におけるエンボス凹部は吸収性物品の長手方向の端部側のものほど短い形状を有している。
よって、吸収性物品のトップシートにおけるエンボス溝に挟まれた内側表面に排出された体液を、トップシートに形成された縦エンボス列がエンボス溝に挟まれた内側において長手方向により速やかに拡散させることができる。そして、吸収性物品において、エンボス溝に挟まれた内側で拡散された体液は、エンボス溝に挟まれた内側の吸収体に吸収される。
従って、トップシートの表面に形成されたエンボス溝と複数の縦エンボス列とにより、吸収性物品における体液漏れを起こしにくくすることができる。
【００２０】
請求項７記載の発明は、請求項６に記載の吸収性物品において、
前記縦エンボス列は、前記吸収性物品の幅方向の端部側に向かうにつれて、狭い間隔で配置されていることを特徴とする。
【００２１】
請求項７記載の発明によれば、請求項６に記載の発明と同様の作用を奏するとともに、縦エンボス列は吸収性物品の幅方向の端部側に向かうにつれて狭い間隔で配置されているので、吸収性物品の幅方向端部側へ体液は拡散しにくい。
よって、吸収性物品の幅方向の端部から体液が漏れることを防ぐとともに、好適に吸収体に体液を吸収させることができ、吸収性物品における体液漏れを起こしにくくすることができる。
【００２２】
請求項８記載の発明は、
人体との接触面側に設けられるトップシート（３）と、人体との接触面と反対面側に設けられるバックシート（２）と、前記トップシートと前記バックシートとの間に介装される吸収体（４）とを備え、前記トップシートの面側に、前記トップシートの中心を挟み長手方向に延びる左右一対のエンボス溝（８８ｃ、８８ｃ）と、前記トップシートの中心を挟み幅方向に延びる前後一対のエンボス溝（８８ａ、８８ｂ）との少なくとも一方を有する吸収性物品（例えば、ナプキン２０３等）であって、
前記エンボス溝に挟まれる前記トップシートの表面には、複数の略長方形状或いは略楕円形状のエンボス凹部（８）が形成されており、
前記エンボス凹部の長軸方向に複数の前記エンボス凹部が所定の間隔で、前記吸収性物品の幅方向に略一直線上に連なって形成された横エンボス列（８ａ）が、前記吸収性物品の長手方向に所定の間隔で複数設けられ、
前記横エンボス列における前記エンボス凹部は、前記吸収性物品の幅方向の端部側のものほど、長軸方向の長さが短く形成されていることを特徴とする。
【００２３】
請求項８記載の発明によれば、吸収性物品には、トップシートの面側に、トップシートの中心を挟む左右一対のエンボス溝と、トップシートの中心を挟む前後一対のエンボス溝の、少なくとも一方が施されている。このエンボス溝に挟まれる吸収性物品中心側であるトップシートの表面には、略長方形状或いは略楕円形状の複数のエンボス凹部が長軸方向に略一直線上に連なって形成された横エンボス列が、吸収性物品の長手方向に所定の間隔で複数設けられている。そして、その横エンボス列におけるエンボス凹部は吸収性物品の幅方向の端部側のものほど短い形状を有している。
よって、吸収性物品のトップシートにおけるエンボス溝に挟まれた内側表面に排出された体液を、トップシートに形成された横エンボス列がエンボス溝に挟まれた内側において満遍なく拡散させることができる。そして、吸収性物品において、エンボス溝に挟まれた内側で拡散された体液は、エンボス溝に挟まれた内側の吸収体に吸収される。
従って、トップシートの表面に形成されたエンボス溝と複数の横エンボス列とにより、吸収性物品における体液漏れを起こしにくくすることができる。
【００２４】
請求項９記載の発明は、請求項８に記載の吸収性物品において、
前記横エンボス列は、前記吸収性物品の長手方向の端部側に向かうにつれて、狭い間隔で配置されていることを特徴とする。
【００２５】
請求項９記載の発明によれば、請求項８に記載の発明と同様の作用を奏するとともに、横エンボス列は吸収性物品の長手方向の端部側に向かうにつれて狭い間隔で配置されているので、吸収性物品の長手方向端部側へ体液は拡散しにくい。
よって、吸収性物品の長手方向の端部から体液が漏れることを防ぐとともに、好適に吸収体に体液を吸収させることができ、吸収性物品における体液漏れを起こしにくくすることができる。
【００２６】
請求項１０記載の発明は、請求項５〜９の何れか一項に記載の吸収性物品において、
前記エンボス溝より、前記吸収性物品の中心から幅方向の外側における前記トップシートの表面には、複数の略長方形状或いは略楕円形状のエンボス凹部をその長軸方向に所定の間隔で前記吸収性物品の長手方向に略一直線上に連ねて形成した縦エンボス列が、前記吸収性物品の幅方向に所定の間隔で複数設けられていることを特徴とする。
【００２７】
請求項１０記載の発明によれば、請求項５〜９の何れか一項に記載の発明と同様の作用を奏するとともに、吸収性物品において、エンボス溝に挟まれる範囲より、吸収性物品の中心から幅方向の外側におけるトップシートの表面には、略長方形状或いは略楕円形状の複数のエンボス凹部が長軸方向に略一直線上に連なって形成された縦エンボス列が、吸収性物品の幅方向に所定の間隔で複数設けられているので、エンボス溝に挟まれる範囲より吸収性物品の中心から幅方向の外側への体液の拡散は、その縦エンボス列により妨げられる。
よって、吸収性物品の幅方向の端部から体液が漏れることを防ぐとともに、好適に吸収体に体液を吸収させることができ、吸収性物品における体液漏れを起こしにくくすることができる。
【００２８】
請求項１１記載の発明は、請求項５〜１０の何れか一項に記載の吸収性物品において、
前記エンボス溝より、前記吸収性物品の中心から長手方向の外側における前記トップシートの表面には、複数の略長方形状或いは略楕円形状のエンボス凹部をその長軸方向に所定の間隔で前記吸収性物品の幅方向に略一直線上に連ねて形成した横エンボス列が、前記吸収性物品の長手方向に所定の間隔で形成されていることを特徴とする。
【００２９】
請求項１１記載の発明によれば、請求項５〜１０の何れか一項に記載の発明と同様の作用を奏するとともに、吸収性物品において、エンボス溝に挟まれる範囲より、吸収性物品の中心から長手方向の外側におけるトップシートの表面には、略長方形状或いは略楕円形状の複数のエンボス凹部が長軸方向に略一直線上に連なって形成された横エンボス列が、吸収性物品の長手方向に所定の間隔で複数設けられているので、エンボス溝に挟まれる範囲より吸収性物品の長手方向の外側への体液の拡散は、その横エンボス列により妨げられる。
よって、吸収性物品の長手方向の端部から体液が漏れることを防ぐとともに、好適に吸収体に体液を吸収させることができ、吸収性物品における体液漏れを起こしにくくすることができる。
【００３０】
請求項１２記載の発明は、請求項５〜１１の何れか一項に記載の吸収性物品において、
前記エンボス溝より、吸収性物品の中心から長手方向の外側における前記トップシートの表面には、複数の略長方形状或いは略楕円形状のエンボス凹部をその長軸方向に所定の間隔で前記吸収性物品の長手方向に略一直線上に連ねて形成した縦エンボス列が、前記吸収性物品の幅方向に所定の間隔で形成されていること特徴とする。
【００３１】
請求項１２記載の発明によれば、請求項５〜１１の何れか一項に記載の発明と同様の作用を奏するとともに、吸収性物品において、エンボス溝に挟まれる範囲より、吸収性物品の中心から長手方向の外側における前記トップシートの表面には、略長方形状或いは略楕円形状の複数のエンボス凹部が長軸方向に略一直線上に連なって形成された縦エンボス列が、吸収性物品の幅方向に所定の間隔で複数設けられているので、エンボス溝に挟まれる範囲より吸収性物品の長手方向の外側へ拡散した体液が、さらに吸収性物品の幅方向の端部へ拡散する場合には、その縦エンボス列により妨げられる。
よって、吸収性物品の端部から体液が漏れることを防ぐとともに、好適に吸収体に体液を吸収させることができ、吸収性物品における体液漏れを起こしにくくすることができる。
【００３２】
【発明の実施の形態】
以下、本発明の実施の形態を図１から図１９に基づいて説明する。
〔第１の実施の形態〕
図１は本発明を適用した生理用ナプキンの斜視図であり、図２は同生理用ナプキンの展開図である。図３は、図２のＩＩＩ−ＩＩＩ線における断面図である。
【００３３】
吸収性物品としての生理用ナプキン（以下、ナプキンという。）１００は、ポリエチレンシートなどからなる不透液性のバックシート２と、経血やおりものなどの体液を速やかに透過させる透液性のトップシート３と、これらバックシート２とトップシート３との間に介装される綿状パルプまたは合成パルプなどからなる吸収体４と、この吸収体４を囲繞するクレープ紙５と、吸収体４の略側縁部を起立基端とし、少なくとも排血口対応部（例えば、図１、図２に示されるポイントＰ）から前後方向に所定の区間において人体との接触面側に起立するように設けられた左右一対のギャザーシート６、６等により構成されている。
【００３４】
ナプキン１００の吸収体４の周囲において、ナプキン１００の長手方向の両端部（前端部１１ａ、後端部１１ｂ）では、バックシート２とトップシート３の外縁部がホットメルトなどの接着剤やヒートシール等の接着手段によって接着されている。
また、ナプキン１００の両側縁部では、吸収体４よりも側方に延出しているバックシート２と、ギャザーシート６の一部分とがホットメルトなどの接着剤やヒートシール等の接着手段によって接着されている。このバックシート２とギャザーシート６とが接着されてなる積層シート部分が、ナプキン１００の長手方向の中央部からやや前側において側方に突出するようにウイング状フラップＷ、Ｗが形成されている。
【００３５】
バックシート２は、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
また、バックシート２の外面には一又は複数条の粘着剤層（図示せず）が形成されており、身体への装着時にナプキン１００を下着に固定するようになっている。
【００３６】
トップシート３は、有孔または無孔の不織布や、多孔性プラスチックシート、また不織布にプラスチックシートがラミネートされたシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。このトップシート３に多数の透孔を形成した場合には、経血やおりもの等の体液がより速やかに吸収されるようになり、ドライタッチ性に優れたものとなる。
【００３７】
また、図２に示されるように、トップシート３には、複数のエンボス凹部８が形成されており、これらエンボス凹部８がその長軸方向に所定の間隔で、ナプキン１００の長手方向に略一直線上に連なった縦エンボス列８ｂと、これらエンボス凹部８がその長軸方向に所定の間隔で、ナプキン１００の幅方向に略一直線上に連なった横エンボス列８ａとがそれぞれ複数列形成されている。
このエンボス凹部８は、図４に示されるように、長方形状を有している。
エンボス凹部８の短辺８１と長辺８２との長さの比は、１：２以上であり、短辺８１の長さは０．５ｍｍ〜３．０ｍｍであることが好ましい。また、隣り合うエンボス凹部８との距離Ｌ１、Ｌ２はそれぞれ１ｍｍ〜１０ｍｍであり、好ましくは３ｍｍ〜５ｍｍである。
【００３８】
トップシート３におけるナプキン１００の長手方向の両端部側においては、複数の横エンボス列８ａがナプキン１００の長手方向に所定の間隔で設けられている。
また、トップシート３におけるナプキン１００の長手方向の略中央側における、左右のウイング状フラップＷ、Ｗにほぼ挟まれる範囲においては、複数の縦エンボス列８ｂがナプキン１００の幅方向に所定の間隔で設けられている。
【００３９】
横エンボス列８ａは、トップシート３においてナプキン１００の長手方向に広がろうとする体液の拡散を防ぐようになっており、縦エンボス列８ｂは、トップシート３においてナプキン１００の長手方向に体液の拡散させるとともに、ナプキン１００の幅方向に広がろうとする体液の拡散を防ぐようになっている。
また、エンボス凹部８は長軸方向の長さが長いものほど、そのエンボス凹部８の長手方向に沿うように体液を拡散させやすく、また、エンボス凹部８の長軸方向の長さが長いものほど、そのエンボス凹部８の長手方向に交わる向きの体液の拡散を防ぎやすくなっている。
【００４０】
吸収体４は、体液を吸収するものであり、通常はフラッフ状パルプ中に吸水性ポリマー粉末を混入したものが吸収機能およびコストの点から好適に使用されるが、体液を吸収・保持し得るものであれば良い。吸収体４は、形状保持等のためにクレープ紙５によって囲繞することが望ましい。
【００４１】
ギャザーシート６、６は、吸収体４の略側縁部において、ナプキン１００の前端部１１ａから後端部１１ｂにわたって備えられている。ギャザーシート６は、不透液性の不織布のシートを二つ折りにし、折り合わされた面を、例えば、ホットメルトや、ヒートシール等により接着することにより形成されている。
この不織布シートを二つ折りにした折り返し部分側の端部を自由端部６１、ナプキン本体側に固定される端部を固定端部６２とする。その固定端部６２が、バックシート２に固着されることにより、ギャザーシート６、６がナプキン本体側に固定されている。そして、その不織布が折り合わされた面間に、複数本の糸状の弾性部材９・・・が挟み込まれて固着されて備えられている。
このギャザーシート６、６がナプキン１００（バックシート２）に固着されて備えられた状態において、自由端部６１が起立することにより、立体ギャザーが形成される。そして、この弾性部材９・・・によりギャザーシート６は、着用者の体型に合わせて伸縮自在に変形し、着用者にフィットしやすい構造となっている。
【００４２】
ウイング状フラップＷは、排血口対応部であるポイントＰに相当する箇所に対応するように、ナプキン１００の側方に突出している。このウイング状フラップＷの外面側（バックシート２の外面）には、粘着材層（図示せず）が備えられており、ナプキン１００を装着する際に、ウイング状フラップＷを人体との反対側に折り返し、ショーツのクロッチ部分に巻き付けて、止着するようになっている。
【００４３】
前述のように構成されたナプキン１００の使用に際して、ナプキン１００の排血口対応部であるポイントＰに体液としての経血が排出されると、その経血はナプキン１００のトップシート３を介して吸収体４に吸収される。
この際、経血は、トップシート３に形成された縦エンボス列８ｂに誘導されて、ナプキン１００の長手方向に拡散しやすく、幅方向には拡散しにくくなっているので、ナプキン１００の幅方向から経血が漏れる、いわゆる横漏れを起こしにくい。
また、ナプキン１００の長手方向に拡散した経血は、トップシート３の端部側に形成された横エンボス列８ａにより、最端部へ広がろうとする経血の拡散が防がれるので、ナプキン１００の長手方向から経血が漏れる、いわゆる後ろ漏れや前漏れを起こしにくい。
【００４４】
このようにナプキン１００において、ナプキン１００の部位に応じてトップシート３に複数の横エンボス列８ａと複数の縦エンボス列８ｂとをそれぞれ形成することにより、トップシート３における経血の拡散をコントロールし、吸収効率よく吸収体４に経血を吸収させることができ、ナプキン１００における経血漏れを起こしにくくすることができる。
また、トップシート３に複数のエンボス凹部を形成したことにより、トップシート３における人体との接触面側は凹凸形状を有している。よって、肌との接触面積はより少なくて済むのでドライタッチ性が向上するとともに、肌とトップシート３との間のムレを低減することができる。また、形成されたエンボス凹部８に基づくトップシート３表面の凹凸により柔らかい肌触り感が得られる。
【００４５】
また、上記第１の実施の形態におけるナプキン１００のトップシート３に形成されたエンボス凹部８の形状は、すべて同一形状として説明したが、本発明はこれに限らず、変形例として、例えば、図５、図６に示すように異なる形状にしてもよい。
【００４６】
〔第１の変形例〕
次に、図５を参照して、本発明の第１の実施の形態における第１の変形例について説明する。なお、図２と同一部分には同一符号を付し、異なる部分についてのみ説明する。
ナプキン１０１のトップシート３には、ナプキン１０１の長手方向の両端部側に複数の横エンボス列８ａと、ナプキン１０１の長手方向の略中央側に複数の縦エンボス列８ｂとが所定の配列に従い形成されている。
横エンボス列８ａにおけるエンボス凹部８は、ナプキン１０１の幅方向の端部側のものほど長軸方向の長さが短い形状を有している。また、縦エンボス列８ｂにおけるエンボス凹部８は、ナプキン１０１の長手方向の端部側のものほど長軸方向の長さが短い形状を有している。
このようなエンボス凹部８の形状、横エンボス列８ａや縦エンボス列８ｂの配列であっても、図２に示すナプキン１００と同様に、トップシート３における経血の拡散をコントロールし、吸収効率よく吸収体４に経血を吸収させることができ、ナプキン１０１における経血漏れを起こしにくくすることができる。
【００４７】
〔第２の変形例〕
次に、図６を参照して、本発明の第１の実施の形態における第２の変形例について説明する。なお、図２と同一部分には同一符号を付し、異なる部分についてのみ説明する。
ナプキン１０２のトップシート３には、ナプキン１０２の長手方向の両端部側に複数の横エンボス列８ａと、ナプキン１０２の長手方向の略中央側に複数の縦エンボス列８ｂとが所定の配列に従い形成されている。
横エンボス列８ａにおけるエンボス凹部８は、ナプキン１０２の幅方向の端部側のものほど長軸方向の長さが短い形状を有している。そして、横エンボス列８ａは、ナプキン１０２の長手方向に端部側に向かうにつれて、その間隔が狭くなっている。
また、縦エンボス列８ｂにおけるエンボス凹部８は、ナプキン１０２の長手方向の端部側のものほど長軸方向の長さが短い形状を有している。そして、縦エンボス列８ｂは、ナプキン１０２の幅方向の端部側に向かうにつれて、その間隔が狭くなっている。
このようなエンボス凹部８の形状や、横エンボス列８ａ、縦エンボス列８ｂの配列であっても、図２に示すナプキン１００と同様に、トップシート３における経血の拡散をコントロールし、吸収効率よく吸収体４に経血を吸収させることができ、ナプキン１０２における経血漏れを起こしにくくすることができる。
特に、エンボス列（横エンボス列８ａ、縦エンボス列８ｂ）の間隔が狭いほど、そのエンボス列に垂直な方向への経血の拡散は起こりにくいので、ナプキン１０２における後ろ漏れや前漏れは起こりにくく、ナプキン１０２の長手方向中央付近における横漏れは起こりにくい。
【００４８】
〔第２の実施の形態〕
次に、図７を参照して、本発明の第２の実施の形態について説明する。なお、第１の実施の形態と同一部分には同一符号を付し、異なる部分についてのみ説明する。
ナプキン１１０のトップシート３には、ナプキン１１０の長手方向の両端部にわたって、複数の横エンボス列８ａと、複数の縦エンボス列８ｂとが所定の配列に従い形成されている。なお、それぞれのエンボス凹部８は重ならないように形成されている。
横エンボス列８ａにおけるエンボス凹部８は、ナプキン１１０の長手方向端部側のものほど長軸方向の長さが長い形状を有している。
また、縦エンボス列８ｂにおけるエンボス凹部８は、ナプキン１１０の長手方向端部側のものほど長軸方向の長さが短い形状を有している。
このようなエンボス凹部８の形状や、横エンボス列８ａ、縦エンボス列８ｂの配列であっても、第１の実施の形態と同様に、トップシート３における経血の拡散をコントロールし、吸収効率よく吸収体４に経血を吸収させることができ、ナプキン１１０における経血漏れを起こしにくくすることができる。
特に、ナプキン１１０の略中央部において、より長いエンボス凹部８を有する縦エンボス列８ｂがナプキン１１０の長手方向に経血をより速やかに拡散させるとともに、ナプキン１１０の両端部側において、より長いエンボス凹部８を有する横エンボス列８ａがその経血の拡散を防ぐことにより、吸収体４全体に満遍なく経血を吸収させることができるので、より経血漏れを起こしにくくすることができる。
【００４９】
〔第３の実施の形態〕
次に、図８を参照して、本発明の第３の実施の形態について説明する。なお、第１の実施の形態と同一部分には同一符号を付し、異なる部分についてのみ説明する。
ナプキン２００には、吸収体４をナプキン２００の所定の位置に保持するため、また表面側（人体側）に吸収体４を膨出させるため、また吸収した体液を封じ込める等のために、トップシート３を介して吸収体４の略中央部を囲うように、ナプキン２００の長手方向に延びる左右一対のエンボス溝８８ｃ、８８ｃが形成されている。
【００５０】
ナプキン２００のエンボス溝８８ｃ、８８ｃに挟まれる範囲のトップシート３には、複数のエンボス凹部８が所定の配置に従い形成されている。
エンボス溝８８ｃ、８８ｃに挟まれる範囲のトップシート３において、ナプキン２００の幅方向の両端側には複数の横エンボス列８ａが所定の配列に従い形成されている。
また、エンボス溝８８ｃ、８８ｃに挟まれる範囲のトップシート３において、ナプキン２００の幅方向の略中央側には複数の縦エンボス列８ｂが所定の配列に従い形成されている。
【００５１】
前述のように構成されたナプキン２００の使用に際して、ナプキン２００の排血口対応部であるポイントＰに体液としての経血が排出されると、その経血はナプキン２００のトップシート３を介して吸収体４に吸収される。
この際、経血は、トップシート３に形成された縦エンボス列８ｂに誘導されて、ナプキン２００の長手方向に拡散される。また、経血は、トップシート３に形成された横エンボス列８ａに誘導されて、ナプキン２００の幅方向であるエンボス溝８８ｃ側に拡散される。
このようにナプキン２００において、エンボス溝８８ｃ、８８ｃに挟まれる範囲の位置に応じてトップシート３に複数の横エンボス列８ａと複数の縦エンボス列８ｂとをそれぞれ形成することにより、トップシート３における経血の拡散をコントロールし、経血をエンボス溝８８ｃ、８８ｃに挟まれる範囲の吸収体４全体に満遍なく、吸収効率よく吸収させることができる。
よって、ナプキン２００における経血漏れを起こしにくくすることができる。
【００５２】
なお、本実施の形態において、左右一対のエンボス溝８８ｃ、８８ｃは、図８に示されるように、ナプキン２００の中心に向かって凸の弧を描く曲線形状のものを例に説明したが、本発明はこれに限定されるものではなく、エンボス溝８８ｃ、８８ｃの形状は、ナプキン２００の幅方向外側に向かって凸の弧を描く曲線形状（例えば、（    ）のような形状）や、一対の平行な直線形状（例えば、｜｜のような形状）や、一対の矩形括弧形状（例えば、〔  〕のような形状）など、その形状は任意である。
【００５３】
また、上記第３の実施の形態におけるナプキン２００のエンボス溝８８ｃ、８８ｃに挟まれる範囲のトップシート３には、横エンボス列８ａと縦エンボス列８ｂとをそれぞれ形成したが、本発明はこれに限らず、変形例として、例えば、図９、図１０、図１１、図１２に示すように、横エンボス列８ａ又は縦エンボス列８ｂの一方のみを形成してもよい。
【００５４】
〔第１の変形例〕
次に、図９を参照して、本発明の第３の実施の形態における第１の変形例について説明する。なお、図８と同一部分には同一符号を付し、異なる部分についてのみ説明する。
ナプキン２０１には、吸収体４をナプキン２０１の所定の位置に保持するため、また表面側（人体側）に吸収体４を膨出させるため、また吸収した体液を封じ込める等のために、トップシート３を介して吸収体４の略中央部を囲うように、ナプキン２０１の幅方向に延びる前後一対のエンボス溝８８ａ、８８ｂが形成されている。
【００５５】
ナプキン２０１のエンボス溝８８ａ、８８ｂに挟まれる範囲のトップシート３には、複数の縦エンボス列８ｂが所定の配列に従い形成されている。
縦エンボス列８ｂにおけるエンボス凹部８は、ナプキン２０１の長手方向の端部側のものほど長軸方向の長さが短い形状を有している。
このような縦エンボス列８ｂであっても、図８に示すナプキン２００と同様に、トップシート３における経血の拡散をコントロールし、吸収効率よく吸収体４に経血を吸収させることができ、ナプキン２０１における経血漏れを起こしにくくすることができる。
特に、ナプキン２０１の略中央部において、より長いエンボス凹部８を有する縦エンボス列８ｂがナプキン２０１の長手方向に経血をより速やかに拡散させることにより、エンボス溝８８ａ、８８ｂに挟まれる範囲の吸収体４全体に満遍なく経血を吸収させることができるので、より経血漏れを起こしにくくすることができる。
【００５６】
なお、本実施の形態において、前後一対のエンボス溝８８ａ、８８ｂは、図９に示されるように、ナプキン２０１の長手方向外側に向かって凸の弧を描く曲線形状（つまり、（    ）のような形状）のものを例に説明したが、本発明はこれに限定されるものではなく、エンボス溝８８ａ、８８ｂの形状は、一対の平行な直線形状（例えば、｜｜のような形状）や、一対の角形括弧形状（例えば、〈  〉のような形状）など、その形状は任意である。
【００５７】
〔第２の変形例〕
次に、図１０を参照して、本発明の第３の実施の形態における第２の変形例について説明する。なお、図８と同一部分には同一符号を付し、異なる部分についてのみ説明する。
ナプキン２０２には、吸収体４をナプキン２０２の所定の位置に保持するため、また表面側（人体側）に吸収体４を膨出させるため、また吸収した体液を封じ込める等のために、トップシート３を介して吸収体４の略中央部を囲うように、ナプキン２０２の幅方向に延びる前後一対のエンボス溝８８ａ、８８ｂが形成されている。
【００５８】
ナプキン２０２のエンボス溝８８ａ、８８ｂに挟まれる範囲のトップシート３には、複数の縦エンボス列８ｂが所定の配列に従い形成されている。
縦エンボス列８ｂにおけるエンボス凹部８は、ナプキン２０２の長手方向端部側のものほど長軸方向の長さが短い形状を有している。そして、ナプキン２０２の幅方向の端部側に向かうにつれて、縦エンボス列８ｂ間の間隔が狭くなっている。
このような縦エンボス列８ｂであっても、図８に示すナプキン２００と同様に、トップシート３における経血の拡散をコントロールし、吸収効率よく吸収体４に経血を吸収させることができ、ナプキン２０２における経血漏れを起こしにくくすることができる。
特に、ナプキン２０２の略中央部において、より長いエンボス凹部８により縦エンボス列８ｂがナプキン２０２の長手方向に経血をより速やかに拡散させるとともに、縦エンボス列８ｂ間の間隔を狭くすることにより、ナプキン２０２の幅方向の端部側への経血の拡散を制御することにより、エンボス溝８８ａ、８８ｂに挟まれる範囲の吸収体４全体に満遍なく経血を吸収させることができるので、より経血漏れを起こしにくくすることができる。
【００５９】
〔第３の変形例〕
次に、図１１を参照して、本発明の第３の実施の形態における第３の変形例について説明する。なお、図８と同一部分には同一符号を付し、異なる部分についてのみ説明する。
ナプキン２０３のエンボス溝８８ｃ、８８ｃに挟まれる範囲のトップシート３には、複数の横エンボス列８ａが所定の配列に従い形成されている。
横エンボス列８ａにおけるエンボス凹部８は、ナプキン２０３の幅方向端部側のものほど長軸方向の長さが短い形状を有している。
このような横エンボス列８ａであっても、図８に示すナプキン２００と同様に、トップシート３における経血の拡散をコントロールし、エンボス溝８８ｃ、８８ｃに挟まれる範囲の吸収体４全体に満遍なく、吸収効率よく経血を吸収させることができるので、ナプキン２０３における経血漏れを起こしにくくすることができる。
【００６０】
〔第４の変形例〕
次に、図１２を参照して、本発明の第３の実施の形態における第４の変形例について説明する。なお、図８と同一部分には同一符号を付し、異なる部分についてのみ説明する。
ナプキン２０４のエンボス溝８８ｃ、８８ｃに挟まれる範囲のトップシート３には、複数の横エンボス列８ａが所定の配列に従い形成されている。
横エンボス列８ａにおけるエンボス凹部８は、ナプキン２０４の幅方向端部側のものほど長軸方向の長さが短い形状を有している。そして、ナプキン２０４の長手向端部側に向かうにつれて、横エンボス列８ａ間の間隔が狭くなっている。
このような横エンボス列８ａであっても、図８に示すナプキン２００と同様に、トップシート３における経血の拡散をコントロールし、エンボス溝８８ｃ、８８ｃに挟まれる範囲の吸収体４全体に満遍なく、吸収効率よく経血を吸収させることができるので、ナプキン２０４における経血漏れを起こしにくくすることができる。
【００６１】
〔第４の実施の形態〕
次に、図１３を参照して、本発明の第４の実施の形態について説明する。なお、第１、第３の実施の形態と同一部分には同一符号を付し、異なる部分についてのみ説明する。
ナプキン３００のトップシート３には、エンボス溝８８ｃ、８８ｃに挟まれる範囲よりナプキン３００の中心から幅方向の外側において、複数の縦エンボス列８ｂが所定の配列に従い形成されている。
【００６２】
前述のように構成されたナプキン３００の使用に際して、ナプキン３００の排血口対応部であるポイントＰに体液としての経血が排出されると、その経血はナプキン３００のトップシート３を介して、エンボス溝８８ｃ、８８ｃに挟まれる範囲の吸収体４に選択的に吸収される。
ただし、経血量が多く、エンボス溝８８ｃ、８８ｃに挟まれる範囲の吸収体４における許容吸収量を越えた場合などにおいては、エンボス溝８８ｃ、８８ｃの外側における吸収体４によって経血の吸収を行うことになる。このような場合において、エンボス溝８８ｃからナプキン３００の幅方向の外側に向かう経血の拡散を、ナプキン３００のトップシート３に形成された縦エンボス列８ｂが防ぎ、吸収体４に経血を吸収させることができる。
よって、ナプキン３００における経血漏れ、特に横漏れを起こしにくくすることができる。
【００６３】
〔第５の実施の形態〕
次に、図１４を参照して、本発明の第５の実施の形態について説明する。なお、第１、第３の実施の形態と同一部分には同一符号を付し、異なる部分についてのみ説明する。
ナプキン４００のトップシート３には、エンボス溝８８ｃ、８８ｃに挟まれる範囲よりナプキン４００の中心から長手方向に外側の両端部側に複数の横エンボス列８ａが所定の配列に従い形成されている。
【００６４】
前述のように構成されたナプキン４００の使用に際して、ナプキン４００の排血口対応部であるポイントＰに体液としての経血が排出されると、その経血はナプキン４００のトップシート３を介して、エンボス溝８８ｃ、８８ｃに挟まれる範囲の吸収体４に選択的に吸収される。
ただし、経血量が多く、エンボス溝８８ｃ、８８ｃに挟まれる範囲の吸収体４における許容吸収量を越えた場合などにおいては、エンボス溝８８ｃ、８８ｃに挟まれる範囲の外側における吸収体４によって経血の吸収を行うことになる。このような場合において、ナプキン４００の長手方向の外側に向かう経血の拡散を、ナプキン４００のトップシート３に形成された横エンボス列８ａが防ぎ、吸収体４に経血を吸収させることができる。
よって、ナプキン４００における経血漏れ、特に後ろ漏れや前漏れを起こしにくくすることができる。
【００６５】
〔第６の実施の形態〕
次に、図１５を参照して、本発明の第６の実施の形態について説明する。なお、第１、第３の実施の形態と同一部分には同一符号を付し、異なる部分についてのみ説明する。
ナプキン５００のトップシート３には、エンボス溝８８ｃ、８８ｃに挟まれる範囲よりナプキン５００の中心から長手方向に外側の両端部側において、その幅方向側端部側には複数の縦エンボス列８ｂが所定の配列に従い形成されている。
【００６６】
前述のように構成されたナプキン５００の使用に際して、ナプキン５００の排血口対応部であるポイントＰに体液としての経血が排出されると、その経血はナプキン５００のトップシート３を介して、エンボス溝８８ｃ、８８ｃに挟まれる範囲の吸収体４に選択的に吸収される。
ただし、経血量が多く、エンボス溝８８ｃ、８８ｃに挟まれる範囲の吸収体４における許容吸収量を越えた場合などにおいては、エンボス溝８８ｃ、８８ｃに挟まれる範囲の外側における吸収体４によって経血の吸収を行うことになる。このような場合において、ナプキン５００長手方向の両端部側に拡散し、さらにナプキン５００の幅方向の外側に向かう経血の拡散を、ナプキン５００のトップシート３に形成された縦エンボス列８ｂが防ぎ、吸収体４に経血を吸収させることができる。
よって、ナプキン５００における経血漏れ、特に、横漏れを起こしにくくすることができる。
【００６７】
〔第７の実施の形態〕
次に、図１６を参照して、本発明の第７の実施の形態について説明する。なお、第１、第３の実施の形態と同一部分には同一符号を付し、異なる部分についてのみ説明する。
ナプキン６００のトップシート３には、エンボス溝８８ｃ、８８ｃに挟まれる範囲よりナプキン６００の中心から長手方向に外側の両端部側に複数の横エンボス列８ａと縦エンボス列８ｂとが所定の配列に従い形成されている。
ナプキン６００の長手方向の両端部側におけるトップシート３において、ナプキン６００の幅方向の略中央側には複数の横エンボス列８ａが形成されている。
また、ナプキン６００の長手方向の両端部側におけるトップシート３において、ナプキン６００の幅方向の両端側には複数の縦エンボス列８ｂが形成されている。
なお、ナプキン６００の長手方向の最端部側においては、ナプキン６００の幅方向にわたって、横エンボス列８ａが形成されている。
【００６８】
前述のように構成されたナプキン６００の使用に際して、ナプキン６００の排血口対応部であるポイントＰに体液としての経血が排出されると、その経血はナプキン６００のトップシート３を介して、エンボス溝８８ｃ、８８ｃに挟まれる範囲の吸収体４に選択的に吸収される。
ただし、経血量が多く、エンボス溝８８ｃ、８８ｃに挟まれる範囲の吸収体４における許容吸収量を越えた場合などにおいては、エンボス溝８８ｃ、８８ｃに挟まれる範囲の外側における吸収体４によって経血の吸収を行うことになる。このような場合において、ナプキン６００の長手方向の両端部側に拡散し、長手方向の外側に向かう経血の拡散をトップシート３に形成された横エンボス列８ａが防ぐとともに、さらにナプキン６００の長手方向の両端部においてナプキン６００の幅方向の外側に向かう経血の拡散をナプキン６００のトップシート３に形成された縦エンボス列８ｂが防ぐことにより、吸収体４に経血を吸収させることができる。
よって、ナプキン６００における経血漏れを起こしにくくすることができる。
【００６９】
〔第８の実施の形態〕
次に、図１７を参照して、本発明の第８の実施の形態について説明する。なお、第１の実施の形態と同一部分には同一符号を付し、異なる部分についてのみ説明する。
ナプキン７００には、吸収体４をナプキン７００の所定の位置に保持するため、また表面側（人体側）に吸収体４を膨出させるため、また吸収した体液を封じ込める等のために、トップシート３を介して吸収体４の略中央部を囲うように、前後一対のエンボス溝８８ａ、８８ｂが形成されている。また、前後一対のエンボス溝８８ａ、８８ｂの外側を更に囲うように、略矩形環形状のエンボス溝８８が形成されている。
【００７０】
ナプキン７００のエンボス溝８８ａ、８８ｂに挟まれる範囲のトップシート３には、複数のエンボス凹部８が所定の配置に従い形成されている。
エンボス溝８８ａ、８８ｂに挟まれる範囲のトップシート３において、ナプキン７００の幅方向の両端側には複数の横エンボス列８ａが所定の配列に従い形成されている。
また、エンボス溝８８ａ、８８ｂに挟まれる範囲のトップシート３において、ナプキン７００の幅方向の略中央側には複数の縦エンボス列８ｂが所定の配列に従い形成されている。
【００７１】
また、エンボス溝８８ａ、８８ｂよりナプキン７００の長手方向端部側であって、略矩形環形状のエンボス溝８８の内側におけるトップシート３には、複数の横エンボス列８ａが所定の配列に従い形成されている。
【００７２】
また、略矩形環形状のエンボス溝８８の外側であって、ナプキン７００の長手方向端部側には、複数の横エンボス列８ａが所定の配列に従い形成されており、ナプキン７００の幅方向端部側には、複数の縦エンボス列８ｂが所定の配列に従い形成されている。
【００７３】
このようにナプキン７００において、エンボス溝８８ａ、８８ｂに挟まれる範囲の位置に応じてトップシート３に複数の横エンボス列８ａと複数の縦エンボス列８ｂとをそれぞれ形成することにより、トップシート３における経血の拡散をコントロールし、経血をエンボス溝８８ａ、８８ｂに挟まれる範囲の吸収体４全体に満遍なく、吸収効率よく吸収させることができる。
さらに、エンボス溝８８ａ、８８ｂに挟まれる範囲の外側に略矩形環形状のエンボス溝８８を形成し、その内側、外側ともに複数のエンボス凹部８（横エンボス列８ａ、縦エンボス列８ｂ）を形成することにより、より確実に吸収体４に経血を吸収させることができる。
よって、ナプキン７００における経血漏れを起こしにくくすることができる。
【００７４】
このように、本発明のように、吸収性物品であるナプキンのトップシート３の表面に、ナプキンの部位、位置に応じて複数の横エンボス列８ａや縦エンボス列８ｂ（複数のエンボス凹部８）を形成することにより、トップシート３における体液である経血の拡散をコントロールし、吸収効率よく吸収体４に経血を吸収させるようにし、ナプキンにおける体液漏れ、経血漏れを起こしにくくすることができる。
【００７５】
特に、ナプキンにおける部位等に応じて、エンボス凹部８の形状や向き、また、横エンボス列８ａ、縦エンボス列８ｂの向きや間隔等を異ならすことにより、体液の拡散をコントロールし、それら部位毎に体液漏れをより防ぐことができる。例えば、ナプキンの幅方向からの体液漏れ（横漏れ）を特に防ぐタイプのものや、ナプキンの長手方向からの体液漏れ（後ろ漏れ、前漏れ）を特に防ぐタイプのものや、よりナプキンの内側に体液を吸収させるタイプのものや、よりナプキンの全体に満遍なく体液を吸収させるタイプのものなどを構成することができる。
また、エンボス溝（前後一対のエンボス溝８８ａ，８８ｂ、左右一対のエンボス溝８８ｃ，８８ｃ、略矩形環形状のエンボス溝８８）を適宜エンボス凹部８に組み合わせて形成することにより、より確実に体液の吸収を行うナプキンを構成することができる。
【００７６】
なお、以上の実施の形態においては、エンボス凹部８の配列を、図４に示すように、エンボス凹部８の端部を揃えるようにしたが、本発明はこれに限定されるものではなく、図１８（ａ）に示すように、エンボス凹部８の端部をオーバーラップさせたり、図１８（ｂ）に示すように、エンボス凹部８の端部を揃えずに離すように配列してもよい。
【００７７】
また、エンボス凹部８の形状は長方形状に限らず、図１９に示すようにエンボス凹部は、長方形状の四隅を略円弧状に切り欠いた、短軸８１’、長軸８２’を有する略楕円形状のエンボス凹部８’であってもよい。
【００７８】
また、前後一対のエンボス溝８８ａ、８８ｂと、左右一対のエンボス溝８８ｃ、８８ｃとが、ともにトップシート３に形成されてもよい。また、前後一対のエンボス溝８８ａ、８８ｂと、左右一対のエンボス溝８８ｃ、８８ｃとがその端部どうしを接続した環形状のエンボス溝（例えば、略矩形環形状のエンボス溝８８のような、環形状のエンボス溝）を形成してもよい。
【００７９】
また、弾性部材９は、ゴム製やポリウレタン製などの弾性を有する糸状部材であればよい。
【００８０】
また、本実施の形態においては、吸収性物品としてナプキンを例に説明したが、本発明はこれに限定されるものではなく、吸収性物品としては、インナーパッド、オムツ等であってもよい。
【００８１】
また、その他、具体的な細部構造等についても適宜に変更可能であることは勿論である。
【００８２】
【発明の効果】
請求項１記載の発明によれば、吸収性物品におけるトップシートの表面において、吸収性物品の長手方向の両端部側には、略長方形状或いは略楕円形状の複数のエンボス凹部が長軸方向に略一直線上に連なって形成された横エンボス列が、吸収性物品の長手方向に所定の間隔で複数設けられており、吸収性物品の長手方向の略中央側には、略長方形状或いは略楕円形状の複数のエンボス凹部が長軸方向に略一直線上に連なって形成された縦エンボス列が、吸収性物品の幅方向に所定の間隔で複数設けられている。
よって、吸収性物品におけるトップシートの表面の略中央部に排出された体液を、トップシートに形成された縦エンボス列が吸収性物品の長手方向に拡散させるとともに、吸収性物品の長手方向の両端部側においては、トップシートに形成された横エンボス列がその拡散を妨げる。
従って、吸収性物品において、トップシートの表面の略中央部に排出された体液は、吸収性物品の幅方向より長手方向に拡散しやすく、その長手方向の端部側ではその拡散が防がれるので、吸収性物品の幅方向の端部及び長手方向の端部から体液が漏れることを防ぎつつ拡散させ、好適に吸収体に体液を満遍なく吸収させることができる。
このように、トップシートの表面に形成された複数のエンボス凹部が連なった横エンボス列や縦エンボス列により、吸収性物品における体液漏れを起こしにくくすることができる。
【００８３】
請求項２記載の発明によれば、請求項１に記載の発明と同様の作用を奏するとともに、横エンボス列におけるエンボス凹部は吸収性物品の幅方向の端部側のものほど短い形状を有し、縦エンボス列におけるエンボス凹部は吸収性物品の長手方向の端部側のものほど短い形状を有しているので、吸収性物品において、トップシートの表面の略中央部に排出された体液は、より吸収性物品の長手方向に拡散しやすく、吸収性物品の幅方向へは拡散しにくい。
よって、吸収性物品の幅方向の端部及び長手方向の端部から体液が漏れることを防ぎつつ拡散させ、好適に吸収体に体液を満遍なく吸収させることができ、吸収性物品における体液漏れを起こしにくくすることができる。
【００８４】
請求項３記載の発明によれば、請求項１又は２に記載の発明と同様の作用を奏するとともに、横エンボス列は吸収性物品の長手方向の端部側に向かうにつれて狭い間隔で配置されており、縦エンボス列は吸収性物品の幅方向の端部側に向かうにつれて狭い間隔で配置されているので、吸収性物品の長手方向端部側へ体液は拡散しにくく、また幅方向端部側へも体液は拡散しにくい。
よって、吸収性物品の幅方向の端部及び長手方向の端部から体液が漏れることを防ぐとともに、好適に吸収体に体液を吸収させることができ、吸収性物品における体液漏れを起こしにくくすることができる。
【００８５】
請求項４記載の発明によれば、吸収性物品におけるトップシートの表面において、略長方形状或いは略楕円形状の複数のエンボス凹部が長軸方向に略一直線上に連なって形成された横エンボス列が、吸収性物品の長手方向に所定の間隔で複数設けられており、略長方形状或いは略楕円形状の複数のエンボス凹部が長軸方向に略一直線上に連なって形成された縦エンボス列が、吸収性物品の幅方向に所定の間隔で複数設けられている。そして、横エンボス列におけるエンボス凹部は、吸収性物品の長手方向の端部側のものほど長い形状を有し、縦エンボス列におけるエンボス凹部は、吸収性物品の長手方向の端部側のものほど短い形状を有している。
よって、吸収性物品において、トップシートの表面の略中央部に排出された体液は、より吸収性物品の長手方向に拡散しやすく、吸収性物品の幅方向へは拡散しにくい。また、吸収性物品の長手方向端部側では、体液を幅方向へ拡散させる。
従って、吸収性物品の幅方向の端部及び長手方向の端部から体液が漏れることを防ぎつつ拡散させ、好適に吸収体に体液を満遍なく吸収させることができ、吸収性物品における体液漏れを起こしにくくすることができる。
【００８６】
請求項５記載の発明によれば、吸収性物品には、トップシートの面側に、トップシートの中心を挟む左右一対のエンボス溝と、トップシートの中心を挟む前後一対のエンボス溝の、少なくとも一方が施されている。このエンボス溝に挟まれる吸収性物品中心側であるトップシートの表面において、吸収性物品の幅方向の両端部側には、略長方形状或いは略楕円形状の複数のエンボス凹部が長軸方向に略一直線上に連なって形成された横エンボス列が、吸収性物品の長手方向に所定の間隔で複数設けられており、吸収性物品の幅方向の略中央側には、略長方形状或いは略楕円形状の複数のエンボス凹部が長軸方向に略一直線上に連なって形成された縦エンボス列が、吸収性物品の幅方向に所定の間隔で複数設けられている。
よって、吸収性物品のトップシートにおけるエンボス溝に挟まれた内側表面に排出された体液を、トップシートに形成された縦エンボス列により吸収性物品の長手方向に拡散させるとともに、トップシートに形成された横エンボス列により吸収性物品の幅方向へ拡散させる。
このように、吸収性物品において、トップシートの表面に排出された体液は、エンボス溝に挟まれた内側で拡散されるので、エンボス溝に挟まれた内側の吸収体に体液を吸収させることができる。
従って、トップシートの表面に形成されたエンボス溝と複数のエンボス凹部により形成された横エンボス列や縦エンボス列とにより、吸収性物品における体液漏れを起こしにくくすることができる。
【００８７】
請求項６記載の発明によれば、吸収性物品には、トップシートの面側に、トップシートの中心を挟む左右一対のエンボス溝と、トップシートの中心を挟む前後一対のエンボス溝の、少なくとも一方が施されている。このエンボス溝に挟まれる吸収性物品中心側であるトップシートの表面には、略長方形状或いは略楕円形状の複数のエンボス凹部が長軸方向に略一直線上に連なって形成された縦エンボス列が、吸収性物品の幅方向に所定の間隔で複数設けられている。そして、その縦エンボス列におけるエンボス凹部は吸収性物品の長手方向の端部側のものほど短い形状を有している。
よって、吸収性物品のトップシートにおけるエンボス溝に挟まれた内側表面に排出された体液を、トップシートに形成された縦エンボス列がエンボス溝に挟まれた内側において長手方向により速やかに拡散させることができる。そして、吸収性物品において、エンボス溝に挟まれた内側で拡散された体液は、エンボス溝に挟まれた内側の吸収体に吸収される。
従って、トップシートの表面に形成されたエンボス溝と複数の縦エンボス列とにより、吸収性物品における体液漏れを起こしにくくすることができる。
【００８８】
請求項７記載の発明によれば、請求項６に記載の発明と同様の作用を奏するとともに、縦エンボス列は吸収性物品の幅方向の端部側に向かうにつれて狭い間隔で配置されているので、吸収性物品の幅方向端部側へ体液は拡散しにくい。
よって、吸収性物品の幅方向の端部から体液が漏れることを防ぐとともに、好適に吸収体に体液を吸収させることができ、吸収性物品における体液漏れを起こしにくくすることができる。
【００８９】
請求項８記載の発明によれば、吸収性物品には、トップシートの面側に、トップシートの中心を挟む左右一対のエンボス溝と、トップシートの中心を挟む前後一対のエンボス溝の、少なくとも一方が施されている。このエンボス溝に挟まれる吸収性物品中心側であるトップシートの表面には、略長方形状或いは略楕円形状の複数のエンボス凹部が長軸方向に略一直線上に連なって形成された横エンボス列が、吸収性物品の長手方向に所定の間隔で複数設けられている。そして、その横エンボス列におけるエンボス凹部は吸収性物品の幅方向の端部側のものほど短い形状を有している。
よって、吸収性物品のトップシートにおけるエンボス溝に挟まれた内側表面に排出された体液を、トップシートに形成された横エンボス列がエンボス溝に挟まれた内側において満遍なく拡散させることができる。そして、吸収性物品において、エンボス溝に挟まれた内側で拡散された体液は、エンボス溝に挟まれた内側の吸収体に吸収される。
従って、トップシートの表面に形成されたエンボス溝と複数の横エンボス列とにより、吸収性物品における体液漏れを起こしにくくすることができる。
【００９０】
請求項９記載の発明によれば、請求項８に記載の発明と同様の作用を奏するとともに、横エンボス列は吸収性物品の長手方向の端部側に向かうにつれて狭い間隔で配置されているので、吸収性物品の長手方向端部側へ体液は拡散しにくい。
よって、吸収性物品の長手方向の端部から体液が漏れることを防ぐとともに、好適に吸収体に体液を吸収させることができ、吸収性物品における体液漏れを起こしにくくすることができる。
【００９１】
請求項１０記載の発明によれば、請求項５〜９の何れか一項に記載の発明と同様の作用を奏するとともに、吸収性物品において、エンボス溝に挟まれる範囲より、吸収性物品の中心から幅方向の外側におけるトップシートの表面には、略長方形状或いは略楕円形状の複数のエンボス凹部が長軸方向に略一直線上に連なって形成された縦エンボス列が、吸収性物品の幅方向に所定の間隔で複数設けられているので、エンボス溝に挟まれる範囲より吸収性物品の中心から幅方向の外側への体液の拡散は、その縦エンボス列により妨げられる。
よって、吸収性物品の幅方向の端部から体液が漏れることを防ぐとともに、好適に吸収体に体液を吸収させることができ、吸収性物品における体液漏れを起こしにくくすることができる。
【００９２】
請求項１１記載の発明によれば、請求項５〜１０の何れか一項に記載の発明と同様の作用を奏するとともに、吸収性物品において、エンボス溝に挟まれる範囲より、吸収性物品の中心から長手方向の外側におけるトップシートの表面には、略長方形状或いは略楕円形状の複数のエンボス凹部が長軸方向に略一直線上に連なって形成された横エンボス列が、吸収性物品の長手方向に所定の間隔で複数設けられているので、エンボス溝に挟まれる範囲より吸収性物品の長手方向の外側への体液の拡散は、その横エンボス列により妨げられる。
よって、吸収性物品の長手方向の端部から体液が漏れることを防ぐとともに、好適に吸収体に体液を吸収させることができ、吸収性物品における体液漏れを起こしにくくすることができる。
【００９３】
請求項１２記載の発明によれば、請求項５〜１１の何れか一項に記載の発明と同様の作用を奏するとともに、吸収性物品において、エンボス溝に挟まれる範囲より、吸収性物品の中心から長手方向の外側における前記トップシートの表面には、略長方形状或いは略楕円形状の複数のエンボス凹部が長軸方向に略一直線上に連なって形成された縦エンボス列が、吸収性物品の幅方向に所定の間隔で複数設けられているので、エンボス溝に挟まれる範囲より吸収性物品の長手方向の外側へ拡散した体液が、さらに吸収性物品の幅方向の端部へ拡散する場合には、その縦エンボス列により妨げられる。
よって、吸収性物品の端部から体液が漏れることを防ぐとともに、好適に吸収体に体液を吸収させることができ、吸収性物品における体液漏れを起こしにくくすることができる。
【図面の簡単な説明】
【図１】本発明に係るナプキンの斜視図である。
【図２】本発明の第１の実施の形態におけるナプキンを示す平面図である。
【図３】図２のＩＩＩ−ＩＩＩ線における断面図である。
【図４】本実施の形態におけるエンボス凹部及びその配列パターンを示す説明図である。
【図５】本発明の第１の実施の形態におけるナプキンの第１の変形例を示す平面図である。
【図６】本発明の第１の実施の形態におけるナプキンの第２の変形例を示す平面図である。
【図７】本発明の第２の実施の形態におけるナプキンを示す平面図である。
【図８】本発明の第３の実施の形態におけるナプキンを示す平面図である。
【図９】本発明の第３の実施の形態におけるナプキンの第１の変形例を示す平面図である。
【図１０】本発明の第３の実施の形態におけるナプキンの第２の変形例を示す平面図である。
【図１１】本発明の第３の実施の形態におけるナプキンの第３の変形例を示す平面図である。
【図１２】本発明の第３の実施の形態におけるナプキンの第４の変形例を示す平面図である。
【図１３】本発明の第４の実施の形態におけるナプキンを示す平面図である。
【図１４】本発明の第５の実施の形態におけるナプキンを示す平面図である。
【図１５】本発明の第６の実施の形態におけるナプキンを示す平面図である。
【図１６】本発明の第７の実施の形態におけるナプキンを示す平面図である。
【図１７】本発明の第８の実施の形態におけるナプキンを示す平面図である。
【図１８】エンボス凹部の配列パターンの変形例を示す説明図であり、（ａ）はエンボス凹部の端部がオーバーラップする場合、（ｂ）はエンボス凹部の端部が離れている場合を示すものである。
【図１９】エンボス凹部の変形例を示す説明図である。
【符号の説明】
２      バックシート
３      トップシート
４      吸収体
５      クレープ紙
６      ギャザーシート
８（８’）  エンボス凹部
８１    短辺
８２    長辺
８ａ    横エンボス列
８ｂ    縦エンボス列
８８    エンボス溝（環形状のエンボス溝）
８８ａ  エンボス溝（前後一対のエンボス溝）
８８ｂ  エンボス溝（前後一対のエンボス溝）
８８ｃ  エンボス溝（左右一対のエンボス溝）
９      弾性部材
１１ａ  前端部
１１ｂ  後端部
１００、１０１、１０２、１１０、２００、２０１、２０２、２０３、２０４、３００、４００、５００、６００、７００  ナプキン（吸収性物品）
Ｐ      ポイント（排血口対応部）
Ｗ      ウイング状フラップ
Ｌ１，Ｌ２  距離
【図１】
2004298271.tif 000003
【図２】
2004298271.tif 000004
【図３】
2004298271.tif 000005
【図４】
2004298271.tif 000006
【図５】
2004298271.tif 000007
【図６】
2004298271.tif 000008
【図７】
2004298271.tif 000009
【図８】
2004298271.tif 000010
【図９】
2004298271.tif 000011
【図１０】
2004298271.tif 000012
【図１１】
2004298271.tif 000013
【図１２】
2004298271.tif 000014
【図１３】
2004298271.tif 000015
【図１４】
2004298271.tif 000016
【図１５】
2004298271.tif 000017
【図１６】
2004298271.tif 000018
【図１７】
2004298271.tif 000019
【図１８】
2004298271.tif 000020
【図１９】
2004298271.tif 000021